【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
皮下組織を治療してセルライトを減少させるための組立体であって、
焦点合わせされていない音波を発生させるための音波発生装置と、
前記音波発生装置に作動的に接続されるとともに、患者の皮膚の上方かつ外部のポイントから前記焦点合わせされていない音波を患者の皮下組織に印加するように構成された音波トランスデューサと、
微小泡溶液の供給源と、
前記微小泡溶液の供給源に作動的に接続された非振動溶液注入部材であって、これら複数の非振動溶液注入部材は均等に間隔を空けて配置されるとともに、前記微小泡溶液を真皮の１ｍｍ〜５ｍｍ下方の治療領域に経皮的に注入するように構成された非振動溶液注入部材と、
を備え、
前記組立体は、前記微小泡溶液が注入された治療領域の皮下組織内に不可逆性の皮下におけるキャビテーションの生物学的効果を生じさせるように構成されるとともに、前記治療領域の外側にある細胞が影響を受けないようにして、真皮の外側面の部分を輪郭付けするとともにセルライトを減少させるように構成されている、ことを特徴とする組立体。
【請求項２】
前記微小泡溶液の供給源は、内部にガスを保持するガスハウジングを有する、請求項１に記載の組立体。
【請求項３】
前記微小泡溶液の供給源は、内部に溶液を保持する溶液ハウジングを有する、請求項２に記載の組立体。
【請求項４】
溶液供給源およびガス供給源に作動的に接続され、前記溶液内に微小泡を生成するように構成された溶液攪拌機をさらに有する、請求項３に記載の組立体。
【請求項５】
前記溶液注入部材は、ハウジングと複数の中空の針を有する、請求項１に記載の組立体。
【請求項６】
前記中空の針の少なくとも１つの先端は、前記溶液注入部材のハウジングの内側にある第１の状態と、前記溶液注入部材のハウジングの外側にある第２の状態との間で可動である、請求項５に記載の組立体。
【請求項７】
前記溶液注入部材は針の扇形の配列を含む、請求項１に記載の組立体。
【請求項８】
前記音波トランスデューサは平面トランスデューサである、請求項１に記載の組立体。
【請求項９】
前記平面トランスデューサの焦点ゾーンは、表皮の１ｍｍ〜１５ｍｍ下方の組織深さの近いゾーンから、表皮の１５ｍ〜３０ｍｍ下方の組織深さの遠いゾーンへと延びている、請求項８に記載の組立体。
【請求項１０】
音響的に結合された音響スタンドオフをさらに含み、前記音響スタンドオフは前記平面トランスデューサの焦点ゾーンを所望の組織深さに位置させる、請求項８に記載の組立体。
【請求項１１】
皮下組織を冷却するための組織冷却モジュールをさらに含み、前記組織冷却モジュールは前記トランスデューサおよび前記注入部材のうちの一方に作動的に接続され、この組立体を使用した美容整形あるいは皮膚科的治療に伴う不快感、腫大、出血、瘢痕化あるいは他の望まれない効果を低減する、請求項１に記載の組立体。
【請求項１２】
前記溶液注入部材および前記音波発生装置に作動的に接続され、前記溶液の注入および前記音波の印加の協調を制御するように構成された制御モジュールをさらに含む、請求項１に記載の組立体。
【請求項１３】
前記制御モジュールは、様々な組織深さにおける音波の印加と協調された段階化された注入シーケンスを提供するように構成されている、請求項１に記載の組立体。
【請求項１４】
溶液をガスと混合するように構成された溶液攪拌機と、
溶液の攪拌、皮下組織への溶液の注入および皮下組織への音波の印加を協調して行わせるように構成された制御モジュールと、
をさらに備えた請求項１に記載の組立体。
【請求項１５】
前記溶液攪拌機は、ガスと溶液とを攪拌して微小泡を含んだ溶液を生成する、請求項１４に記載の組立体。
【請求項１６】
皮下組織を治療してセルライトを減少させるための組立体であって、
０．２５ＭＨｚ〜２０ＭＨｚの範囲内の周波数を有するとともに０．１ＭＰａ〜１０ＭＰａの範囲内のピーク負圧を有する焦点合わせされていない音波を発生するように構成された音波発生装置と、
前記音波発生装置に作動的に接続されるとともに、患者の真皮の上方かつ外部のポイントから前記焦点合わせされていない音波を患者の皮下組織に印加するように構成された音波トランスデューサと、
ガスの供給源と、
前記ガスの供給源に作動的に接続されるとともに、前記ガスを溶液と混合して気体を含んだ溶液を生成するように構成された溶液攪拌機と、
前記溶液攪拌機に作動的に接続されるとともに、前記気体を含む溶液を真皮の１ｍｍ〜５ｍｍ下方の治療領域に経皮的に注入するように構成された溶液注入部材と、
前記トランスデューサおよび前記注入部材のうちの一方に作動的に接続されるとともに、皮下組織を冷却するように構成された組織冷却モジュールと、
を備え、
前記音波発生装置は、溶液が注入された治療領域に不可逆性の皮下におけるキャビテーションの生物学的効果を生じさせるように選択されたデューティサイクルを有するとともに、前記音波発生装置は、前記治療領域の外側にある細胞が影響を受けないようにして、皮膚の外側面の部分を輪郭付けするとともにセルライトを減少させるように構成されている、組立体。
【請求項１７】
前記溶液注入部材に作動的に接続されるとともに、内部に前記ガスの供給源を保持するように構成されたガスハウジングをさらに備えた、請求項１６に記載の組立体。
【請求項１８】
前記ガスの供給源は室内空気である、請求項１６に記載の組立体。
【請求項１９】
前記溶液注入部材は、ハウジングと複数の中空注入部材を有する、請求項１６に記載の組立体。
【請求項２０】
前記中空の注入部材の少なくとも１つの先端は、前記溶液注入部材のハウジングの内側にある第１の状態と、前記溶液注入部材のハウジングの外側ににある第２の状態との間で可動である、請求項１９に記載の組立体。
【請求項２１】
前記音波トランスデューサは平面トランスデューサである、請求項１６に記載の組立体。
【請求項２２】
前記トランスデューサおよび前記注入部材のうちの一方に作動的に接続された組織冷却モジュールをさらに含み、この組立体を使用した美容整形あるいは皮膚科的治療に伴う不快感、腫大、出血、瘢痕化あるいは他の望まれない効果を低減する、請求項１６に記載の組立体。
【請求項２３】
皮下組織を治療してセルライトを減少させるための組立体であって、
第１の設定および第２の設定を有する焦点合わせされていない音波を発生させるための音波発生装置と、
前記音波発生装置に作動的に接続されるとともに、患者の真皮の上方かつ外部のポイントから前記焦点合わせされていない音波を患者の皮下組織に印加するように構成された超音波トランスデューサと、
ガスの供給源と、
溶液の供給源と、
前記ガスの供給源および前記溶液の供給源に作動的に接続されるとともに、前記ガスを前記溶液と混合して微小泡溶液を生成するように構成された溶液攪拌機と、
前記溶液攪拌機に作動的に接続されるとともに、少なくとも１つの中空注入部材を有する溶液注入部材であって、前記少なくとも１つの中空注入部材の先端が、前記溶液注入部材のハウジングの内側にある第１の状態と、前記溶液注入部材のハウジングの外側ににある第２の状態との間で可動である、溶液注入部材と、
前記第１の設定および前記第２の設定から選択を行うとともにそれを適用する制御モジュールと、
前記第１の設定では、前記微小泡溶液を真皮の１ｍｍ〜５ｍｍ下方の治療領域に分散させ、前記第２の設定では、少なくとも１つの脂肪細胞および繊維状セプタムを不非可逆的に破壊する一方で、前記治療部位の外側にある細胞が影響を受けないようにし、これにより真皮の外側面の部分を輪郭付けするとともにセルライトを減少させる、組立体。
【請求項２４】
前記制御モジュールは、段階的な複数の深さでの微小泡溶液の注入およびそれに続く超音波の印加を提供するように構成されている、請求項２３に記載の組立体。
【請求項２５】
前記超音波トランスデューサおよび前記注入部材のうちの一方に作動的に接続された冷却モジュールをさらに含む、請求項２３に記載の組立体。
【請求項２６】
前記音波トランスデューサは、前記音波発生装置に作動的に接続されるとともに前記溶液注入部材に取り外し可能に取り付けられている、請求項１に記載の組立体。
【請求項２７】
前記音波トランスデューサは、前記音波発生装置に作動的に接続されるとともに、前記溶液注入部材に一体的に接続されている、請求項１に記載の組立体。
【請求項２８】
前記溶液注入部材に作動的に接続されるとともに内部に溶液の供給源を保持するように構成された溶液ハウジングをさらに備えた、請求項１７に記載の組立体。